(57)【特許請求の範囲】
【請求項１】
第1のネットワーク内の第1の基地局によって、制御プレーンインターフェースを介して第2のネットワーク内の第2の基地局に前記第2のネットワークでのサービス品質パラメータを送るステップと、
第1の確立ユニットによって、第1および第2の基地局間にトンネルを確立するステップとを有していて、前記サービス品質パラメータは前記トンネルに対応し、
更に、前記第1の基地局によって、前記サービス品質パラメータに従って、前記トンネルを介して送信される必要があるデータの一部またはすべてを送るステップを有している、
データを分流するための方法。
【請求項２】
前記サービス品質パラメータは優先順位を含む、請求項１に記載のデータを分流するための方法。
【請求項３】
前記制御プレーンインターフェースはX2'-AP層インターフェースである、請求項１または２に記載のデータを分流するための方法。
【請求項４】
第2のネットワーク内の第2の基地局によって、第1のネットワーク内の第1の基地局から制御プレーンインターフェースを介して前記第2のネットワークでのサービス品質パラメータを受信するステップと、
第2の確立ユニットによって、第1および第2の基地局間にトンネルを確立するステップとを有していて、前記サービス品質パラメータは前記トンネルに対応し、
更に、前記第2の基地局によって、前記サービス品質パラメータに従って、前記第1の基地局によって送信される必要があるデータの一部またはすべてを受信するステップを有している、
データを分流するための方法。
【請求項５】
前記サービス品質パラメータは優先順位を含む、請求項４に記載のデータを分流するための方法。
【請求項６】
前記制御プレーンインターフェースはX2'-AP層インターフェースである、請求項４または５に記載のデータを分流するための方法。
【請求項７】
制御プレーンインターフェースを介して第2のネットワーク内の第2の基地局に前記第2のネットワークでのサービス品質パラメータを送るように構成された送信ユニットと、
第1および第2の基地局間にトンネルを確立するように構成された確立ユニットとを備えていて、前記サービス品質パラメータは前記トンネルに対応し、かつ前記第1の基地局は第1のネットワーク内にあり、
前記送信ユニットは、前記サービス品質パラメータに従って、前記トンネルを介して送信される必要があるデータの一部またはすべてを送信するように更に構成されている、
データを分流するための装置。
【請求項８】
前記サービス品質パラメータは優先順位を含む、請求項７に記載のデータを分流するための装置。
【請求項９】
前記制御プレーンインターフェースはX2'-AP層インターフェースである、請求項７または８に記載のデータを分流するための装置。
【請求項１０】
第1のネットワーク内の第1の基地局から制御プレーンインターフェースを介して第2のネットワークでのサービス品質パラメータを受信するように構成された受信ユニットと、
第1および第2の基地局間にトンネルを確立するように構成された確立ユニットとを備えていて、前記サービス品質パラメータは前記トンネルに対応し、かつ前記第2の基地局は第2のネットワーク内にあり、
前記受信ユニットは、前記サービス品質パラメータに従って、前記第1の基地局によって送信される必要があるデータの一部またはすべてを受信するように更に構成されている、
データを分流するための装置。
【請求項１１】
前記サービス品質パラメータは優先順位を含む、請求項１０に記載のデータを分流するための装置。
【請求項１２】
前記制御プレーンインターフェースはX2'-AP層インターフェースである、請求項１０または１１に記載のデータを分流するための装置。
【請求項１３】
その上に記録されるプログラムを有するコンピュータ可読記憶媒体において、前記プログラムは、コンピュータに請求項１から３のうちのいずれか一項に記載の方法を実行させる、コンピュータ可読記憶媒体。
【請求項１４】
その上に記録されるプログラムを有するコンピュータ可読記憶媒体において、前記プログラムは、コンピュータに請求項４から６のうちのいずれか一項に記載の方法を実行させる、コンピュータ可読記憶媒体。
【発明の詳細な説明】
【技術分野】
【０００１】
本出願は、参照によりその全体が本明細書に組み込まれている、中国国家知識産権局で2012年4月19日に出願した「METHOD AND DEVICE FOR DATA SHUNTING」と題する中国特許出願第201210118243.6号の優先権を主張するものである。
【０００２】
本開示は、通信の技術分野に関し、具体的には、データを分流するための方法および装置に関する。
【背景技術】
【０００３】
モバイルインターネットサービスの成長とともに、ワイヤレス通信ネットワークのデータは、急激に増加し、これによって、ブロードバンドへの需要を促進している。モバイルセルラネットワークの輻輳を軽減するために、モバイルセルラネットワークからのデータの一部は、モバイルセルラネットワークを補完するものとして他の利用可能なアクセス技術で分流され得る。
【０００４】
従来、データ分流のための主要な補完ネットワーク技術は、ワイヤレスローカルエリアネットワーク(WLAN)におけるワイファイ(WiFi)、フェムトセル、インテグレーテッドモバイルブロードキャスト(iMB)、などを含むことができる。これらの技術は、ロングタームエボリューションネットワーク(LTE)、ユニバーサルモバイルテレコミュニケーションシステム(UMTS)、および他のセルラネットワークに適用され得る。
【０００５】
LTEおよびUMTSセルラネットワークでは、ユーザ機器(UE)がデータを送信するとき、ユーザ機器のための基地局は、データによって要求される指定されたサービス品質(QoS)に従って送信される必要があるデータのための対応する無線ベアラ(RB)を構成することができ、ここで、担持されるデータの指定されたサービス品質を保証するために、異なるRBが異なるワイヤレスパラメータを与えられていてよい。ユーザ機器は、データを送信するために、基地局によって設定されたRBを採用し、したがって、データ送信は、信頼可能であり得、リソースは、有効に利用され得る。
【０００６】
上記で説明したようなデータ分流の実現において、本発明者らは、データを分流するために、分流ネットワークがシステムによって採用された場合、分流されたデータは、対応するメカニズムの欠如のため、指定されたサービス品質に基づいて分流ネットワークで送信されない可能性があり、すなわち、分流ネットワークでの指定されたサービス品質は、保証されない可能性があり、したがって、分流ネットワークは、指定されたサービス品質の要件を満たさない可能性があり、データ送信は、あまり信頼できない可能性があることを発見した。
【発明の概要】
【発明が解決しようとする課題】
【０００７】
以下の問題、すなわち、分流されたデータが、指定されたサービス品質に基づいて分流ネットワークで送信されない可能性があり、したがって、分流ネットワークが、指定されたサービス品質の要件を満たさない可能性があり、データ送信が、あまり信頼できない可能性があるという問題を解決することができる、データを分流するための方法および装置が提供される。
【課題を解決するための手段】
【０００８】
これに鑑みて、以下の技術的解決策が、本開示の実施形態に従って提供される。
【０００９】
第1のネットワーク内の第1のネットワークデバイスによって、送信される必要があるデータのための第1のネットワークでの第1のサービス品質パラメータに従って、第2のネットワークでの第2のサービス品質パラメータを決定するステップと、
第1のネットワークデバイスによって、データの一部またはすべてを、第2のネットワーク内の第2のネットワークデバイスに、第2のサービス品質パラメータに従って送信するステップと
を含むデータを分流するための方法が提供される。
【００１０】
さらに、
第2のネットワーク内の第2のネットワークデバイスによって、送信される必要があるデータの一部またはすべてを受信するステップを含み、データの一部またはすべては、第1のネットワーク内の第1のネットワークデバイスによって、第2のサービス品質パラメータに従って送信され、第2のサービス品質パラメータは、第1のネットワークデバイスによって、送信される必要があるデータのための第1のネットワークでの第1のサービス品質パラメータに従って、第2のネットワークのために決定される、データを分流するための別の方法が提供される。
【００１１】
送信される必要があるデータのための第1のネットワークでの第1のサービス品質パラメータに従って、第2のネットワークでの第2のサービス品質パラメータを決定するために、第1のネットワーク内の第1のネットワークデバイスによって使用されるように構成された決定ユニットと、
データの一部またはすべてを、第2のネットワーク内の第2のネットワークデバイスに、第2のサービス品質パラメータに従って送信するために、第1のネットワークデバイスによって使用されるように構成された送信ユニットと
を含む、データを分流するための装置が提供される。
【００１２】
さらに、
送信される必要があるデータの一部またはすべてを受信するために、第2のネットワーク内の第2のネットワークデバイスによって使用されるように構成された第1の受信ユニットを含み、データの一部またはすべては、第1のネットワーク内の第1のネットワークデバイスによって、第2のサービス品質パラメータに従って送信され、第2のサービス品質パラメータは、第1のネットワークデバイスによって、送信される必要があるデータのための第1のネットワークでの第1のサービス品質パラメータに従って、第2のネットワークのために決定される、データを分流するための別の装置が提供される。
【００１３】
本開示の実施形態によって提供されるデータを分流するための方法および装置によれば、データが分流される前、第1のネットワークデバイスは、送信される必要があるデータのための第1のネットワークでの第1のサービス品質パラメータに従って、第2のネットワークでの第2のサービス品質パラメータを決定し、データが分流された後、第1のネットワークデバイスは、データの一部またはすべてを、第2のネットワークデバイスに、第2のサービス品質パラメータに従って送信する。データを分流するプロセスの後、第2のQoSパラメータは、第1のQoSパラメータに従って決定されるので、第2のネットワークでのデータ送信について、送信される必要があるデータによって要求されるQoSパラメータが満たされ得、データ送信の信頼性が向上され得ることが保証され得る。
【００１４】
本開示によって提供される実施形態を、当業者によってよりよく理解されるようにするために、本開示で使用される図面が、以下に簡単に説明される。明らかに、以下に説明する図面は、本開示の少数の実施形態のみであり、当業者は、創造的な作業なしに、これらの図面に従って他の図面を得ることができる。
【図面の簡単な説明】
【００１５】
【図１】本開示の一実施形態によって提供されるデータを分流するための方法が適用され得るネットワークアーキテクチャである。
【図２】本開示の一実施形態によって提供されるデータを分流するための方法が適用され得るアーキテクチャ1のためのユーザプレーン内のプロトコルスタックの概略構造図である。
【図３】図2に示すアーキテクチャ1のための制御プレーン内のプロトコルスタックの概略構造図である。
【図４】本開示の一実施形態によって提供されるデータを分流するための方法が適用され得るアーキテクチャ2のためのユーザプレーン内のプロトコルスタックの概略構造図である。
【図５】図4に示すアーキテクチャ2のための制御プレーン内のプロトコルスタックの概略構造図である。
【図６】本開示の一実施形態によって提供されるデータを分流するための方法のフローチャートである。
【図７】本開示の別の実施形態によって提供されるデータを分流するための方法のフローチャートである。
【図８】本開示の一実施形態による第2のネットワークデバイスによって実行されるデータを分流するための方法のフローチャートである。
【図９】本開示の一実施形態によって提供されるデータを分流するための装置の概略構造図である。
【図１０】本開示の別の実施形態によって提供されるデータを分流するための装置の概略構造図である。
【発明を実施するための形態】
【００１６】
本開示の実施形態による技術的解決策は、図面と併せて指定される。明らかに、開示される実施形態は、実施形態のすべてではなく、本開示の少数の実施形態である。本開示の実施形態に基づいて、創造的な作業なしに当業者によって得られる他の実施形態は、本開示の範囲に入る。
【００１７】
本開示で提供される技術的解決策は、広帯域符号分割多元接続(WCDMA(登録商標))ネットワーク、またはロングタームエボリューション(LTE)ネットワーク、などの、様々なモバイルセルラネットワークで適用可能であり得る。
【００１８】
基地局は、限定はしないが、WCDMA(登録商標)ネットワーク内のノードB、またはLTEネットワーク内の進化型ノードB(eNB)、などを含む。
【００１９】
分流アクセスデバイスは、限定はしないが、WLAN内のワイファイアクセスポイント(WIFI AP)、ホームネットワーク内の宅内ノードB(HNB)、または宅内進化型ノードB(HeNB)、などを含む。
【００２０】
データを分流するための方法が、この実施形態によって提供され、方法は、図1に示すネットワークアーキテクチャで適用可能である。
【００２１】
図1に示すように、モビリティ管理エンティティ(MME)、サービングゲートウェイ(S-GW)、などは、既存の第3世代パートナーシッププロジェクト(3GPP)プロトコルシステムで定義されたロングタームエボリューション(LTE)ネットワークの進化型パケットコア(EPC)のネットワーク要素であり得る。LTEワイヤレスアクセスネットワーク内のネットワーク要素は、基地局を含むことができ、基地局は、制御プレーンインターフェースS1-mmeを介してMMEに接続され得、または、ユーザプレーンインターフェースS1-uを介してS-GWに接続され得る。基地局およびネットワークアクセスデバイスは、同じ物理エンティティに属することができ、または、それぞれ、2つの別個の物理エンティティに属することができる。
【００２２】
図1に示すように、基地局1およびネットワークアクセスデバイス1は、それぞれ、2つの別個の物理エンティティに属し、基地局2およびネットワークアクセスデバイス2は、1つの物理エンティティに属する。
【００２３】
基地局およびネットワークアクセスデバイスが2つの別個の物理エンティティに属する場合、基地局とネットワークアクセスデバイスとの間のインターフェースプロトコルスタックは、図2および図3に示すアーキテクチャ1における基地局のためのプロトコルスタックと、ネットワークアクセスデバイスのためのプロトコルスタックとを含むことができ、または、図4および図5に示すアーキテクチャ2における基地局のためのプロトコルスタックと、ネットワークアクセスデバイスのためのプロトコルスタックとを含むことができる。
【００２４】
ネットワークアクセスデバイスは、本開示の実施形態に限定されず、必要に応じて設定されてよく、例えば、ネットワークアクセスデバイスは、WiFiネットワークアクセスデバイスであってよく、その詳細な説明は、本明細書では省略される。WiFiネットワークアクセスデバイスは、以下の実施形態の説明で例としてあげられる。
【００２５】
図2に示すように、アーキテクチャ1のためのユーザプレーン内のプロトコルスタックは、WiFiネットワークアクセスデバイスのためのプロトコルスタックと、基地局のためのプロトコルスタックと、端末のためのプロトコルスタックとを含むことができる。
【００２６】
上から下へ、基地局のためのプロトコルスタックは、以下を含むことができる。
【００２７】
1.データを暗号化および圧縮することなどのために構成された、パケットデータ収斂プロトコル(PDCP)層。
【００２８】
2.データパケットのサイズを変更すること、データパケットの送信モードを決定すること、などのために構成された、無線リンク制御(RLC)層。
【００２９】
3.リソースを割り当てること、データパケットを再利用すること、送信すべきデータパケットのサイズなどの情報をネットワークに通知すること、などのために構成された、ロングタームエボリューション媒体アクセス制御(LTE MAC)層。
【００３０】
4.データパケットを送受信すること、などのために構成された、ロングタームエボリューション物理(LTE PHY)層。
【００３１】
代替的に、LTE MAC層の下の層は、以下を順次に含むことができる。
【００３２】
4'.サービスを適応させるように構成された、アダプテーション層(AL)。
【００３３】
5'.インターネットプロトコル(IP)層。
【００３４】
上から下へ、WiFiネットワークアクセスデバイスのためのプロトコルスタックは、以下を順番に含むことができる。
【００３５】
1.LLC、2.WLAN MAC、3.WLAN PHY。
【００３６】
代替的に、WiFiネットワークアクセスデバイスのためのプロトコルスタックは、IP層を含むことができる。
【００３７】
上から下へ、端末のためのプロトコルスタックは、以下を含むことができる。
【００３８】
1.PDCP層、2.RLC層、3.LTE MAC層、4.LTE PHY層、など。
【００３９】
代替的に、LTE MAC層の下の層は、以下を順次に含むことができる。
【００４０】
4'.AL、5'.ネットワーク層プロトコルを識別し、ネットワーク層プロトコルに従ってパッケージを実行するように構成された論理リンク制御(LLC)、6'.WLAN MAC、7'.WLAN PHY。
【００４１】
図3に示すように、アーキテクチャ1のための制御プレーン内のプロトコルスタックは、WiFiネットワークアクセスデバイスのためのプロトコルスタックと、基地局のためのプロトコルスタックと、端末のためのプロトコルスタックとを含むことができる。
【００４２】
制御プレーン内のプロトコルスタックに含まれるWiFiネットワークアクセスデバイスのためのプロトコルスタックは、ユーザプレーン内のプロトコルスタックに含まれるものと同じである。
【００４３】
制御プレーン内のプロトコルスタックに含まれる基地局のためのプロトコルスタックは、ユーザプレーン内のプロトコルスタックに含まれる基地局のためのプロトコルスタックのPDCP層の上に、無線リソース制御(RRC)層を追加することによって得られ、制御プレーン内のプロトコルスタックに含まれる端末のためのプロトコルスタックは、ユーザプレーン内のプロトコルスタックに含まれるユーザプレーン内のプロトコルスタックのPDCP層の上に、無線リソース制御(RRC)層を追加することによって得られる。
【００４４】
図4に示すように、アーキテクチャ2のユーザプレーン内のプロトコルスタックは、WiFiネットワークアクセスデバイスのためのプロトコルスタックと、基地局のためのプロトコルスタックと、端末のためのプロトコルスタックとを含むことができる。
【００４５】
アーキテクチャ2のための端末のためのプロトコルスタックは、アーキテクチャ2のためのものと同じである。
【００４６】
WiFiネットワークアクセスデバイスのためのプロトコルスタックおよびアーキテクチャ2の基地局のためのプロトコルスタックは、以下の点でアーキテクチャ2のものと異なる。
【００４７】
アーキテクチャ2は、IP層がアーキテクチャ1において配置される場所に、汎用パケット無線サービストンネリングプロトコル(GTP)層、ユーザデータグラムプロトコル(UDP)層、またはIP層を順次に含むことができる。
【００４８】
図5に示すように、アーキテクチャ2のための制御プレーン内のプロトコルスタックは、WiFiネットワークアクセスデバイスのためのプロトコルスタックと、基地局のためのプロトコルスタックと、端末のためのプロトコルスタックとを含むことができる。
【００４９】
アーキテクチャ2のための制御プレーン内のプロトコルスタックは、以下の点で、図3に示すようなアーキテクチャ1のためのものと異なる。
【００５０】
アーキテクチャ2は、WiFiネットワークアクセスデバイスのためのプロトコルスタックのIP層および基地局のためのプロトコルスタックのIP層がアーキテクチャ1において配置される場所に、基地局と分流アクセスデバイスとの間のインターフェースプロトコルを定義するように構成されたX2'-AP層、ストリーム制御送信プロトコル(SCTP)層、またはIP層を順次に含むことができる。
【００５１】
実施形態1
【００５２】
図6に示すように、この実施形態によって提供される方法は、以下のステップを含むことができる。
【００５３】
ステップ601で、第1のネットワーク内の第1のネットワークデバイスは、送信される必要があるデータのための第1のネットワークでの第1のサービス品質(QoS)パラメータに従って、第2のネットワークでの第2のQoSパラメータを決定する。
【００５４】
データは、分流ネットワークを介して分流され、すなわち、データの一部は、現在のセルラネットワークの負荷が軽減され得るように、送信用の第2のネットワークに分流される。
【００５５】
第1のネットワークでの送信される必要があるデータのためのQoSパラメータは、第2のネットワークでの送信のためのQoSパラメータと異なる可能性があり、したがって、ユーザ機器(UE)のためのデータを分流する前に、第1のネットワークデバイスは、送信される必要があるデータのための第1のネットワークでの第1のQoSパラメータに従って、第2のネットワークでの第2のQoSパラメータを決定することができる。
【００５６】
ステップ602で、第1のネットワークデバイスは、第2のネットワーク内の第2のネットワークデバイスに、送信される必要があるデータの一部またはすべてを、第2のQoSパラメータに従って送信する。
【００５７】
この技術的解決策によれば、データが分流される前に、第1のネットワークデバイスは、送信される必要があるデータのための第1のネットワークでの第1のQoSパラメータに従って、第2のネットワークでの第2のQoSパラメータを決定し、データが分流された後、第1のネットワークデバイスは、第2のネットワークデバイスに、送信される必要があるデータの一部またはすべてを、第2のQoSパラメータに従って送信する。データを分流するプロセスの後、第2のQoSパラメータは、第1のQoSパラメータに従って決定されるので、第2のネットワークでのデータ送信について、送信される必要があるデータによって要求されるQoSパラメータが満たされ得、データ送信の信頼性が向上され得ることが保証され得る。
【００５８】
実施形態2
【００５９】
改良として、データを分流するための方法が、別の実施形態に従って提供される。方法は、第1のネットワークデバイスによって実行される。図7に示すように、方法は、以下のステップを含む。
【００６０】
ステップ701で、第1のネットワーク内の第1のネットワークデバイスは、送信される必要があるデータのための第1のネットワークでの第1のQoSパラメータに従って、第2のネットワークでの第2のQoSパラメータを決定する。
【００６１】
データは、分流ネットワークを介して分流され、すなわち、データの一部は、現在のセルラネットワークの負荷が軽減され得るように、送信用の第2のネットワークに分流される。
【００６２】
第1のネットワークでの送信される必要があるデータのためのQoSパラメータは、第2のネットワークでの送信のためのQoSパラメータと異なる可能性があり、したがって、UEのためのデータを分流する前に、第1のネットワークデバイスは、送信される必要があるデータのための第1のネットワークでの第1のQoSパラメータに従って、第2のネットワークでの第2のQoSパラメータを決定することができる。
【００６３】
オプションで、第1のQoSパラメータは、第1の優先順位を含み、第2のQoSパラメータは、第2の優先順位を含む。
【００６４】
第2のQoSパラメータを決定するためのスキームは、この実施形態に限定されず、当業者に周知の任意のスキームが採用されてよく、その詳細な説明は、本明細書では省略される。
【００６５】
第2のQoSパラメータは、この実施形態に限定されず、必要に応じて設定されてよく、その詳細な説明は、本明細書では省略される。
【００６６】
第1および第2のネットワークデバイス間に制御プレーンインターフェースが存在する場合、ステップ702が実行され得、第1および第2のネットワークデバイス間に制御プレーンインターフェースが存在しない場合、ステップ705が実行され得る。
【００６７】
ステップ702で、第1および第2のネットワークデバイス間に制御プレーンインターフェースが存在する場合、第1および第2のネットワークデバイス間にトンネルが確立される。
【００６８】
制御プレーンインターフェースは、X2'-AP層インターフェースと、GTP層インターフェースとを含むことができ、すなわち、この実施形態は、アーキテクチャ2に基づく。
【００６９】
この実施形態では、トンネリングは、データを送信するために採用される。トンネリングは、ネットワークインフラストラクチャの相互接続を介してネットワーク間でデータを伝送する方法である。トンネルを介して送信されるデータは、異なるプロトコルに従う異なるデータフレームまたはデータパケットであり得る。トンネルプロトコル、すなわち、GTPによれば、他のプロトコルに従うこれらのデータフレームまたはパケットは、送信するための新たなパケットヘッド内に再パッケージ化され得る。パッケージ化されたデータパケットは、公衆インターネットを介してトンネルの2つの端部間でルーティングされ得る。データは、アンパックされ得、次いで、ネットワークのエンドポイントに到達する宛先に送信され得る。データ送信のプロセスでは、パッケージ化されたデータパケットが公衆インターネットで転送される論理的な経路は、トンネルと呼ばれる。要するに、トンネリングは、データのパッケージ化、データ送信、およびデータのアンパックのプロセス全体を含むことができる。
【００７０】
トンネルを構成する際、各トンネルは、1つの第2のQoSパラメータに対応する。
【００７１】
第2のQoSパラメータとトンネルとの間の対応は、この実施形態に限定されず、必要に応じて設定されてよく、その詳細な説明は、本明細書では省略される。
【００７２】
ステップ703で、第1のネットワークデバイスは、制御プレーンインターフェースを介して第2のQoSパラメータを第2のネットワークデバイスに送り、第2のQoSパラメータは、トンネルに対応する。
【００７３】
第1のネットワークデバイスは、第2のネットワークデバイスが送信される必要があるデータを第2のネットワークで第2のQoSパラメータに従って第2のネットワークデバイスに送信することができるように、制御プレーンインターフェースを介して第2のQoSパラメータを第2のネットワークデバイスに送る。
【００７４】
ステップ704で、第1のネットワークデバイスは、送信される必要があるデータの一部またはすべてを、対応するトンネルを介して第2のネットワークデバイスに送信する。
【００７５】
第2のQoSパラメータは、第1のQoSパラメータに従って決定され、第1のネットワークデバイスは、第2のQoSパラメータに従って、対応するトンネルを介してデータの一部またはすべてを第2のネットワークデバイスに送信するので、第2のネットワークで送信されるデータによって要求されるQoSパラメータは、保証され得、データ送信の信頼性は、向上される。
【００７６】
この実施形態の実施態様として、送信される必要があるデータのための第2のQoSパラメータが1であり、QoSパラメータに対応するトンネルがトンネル3である場合、送信される必要があるデータは、トンネル3で送信され得る。
【００７７】
ステップ708が実行される。
【００７８】
ステップ705では、第1のネットワークデバイスは、送信される必要があるデータの一部またはすべてからデータパケットを生成し、データパケットの先頭は、第2のQoSパラメータを担持する。
【００７９】
第1および第2のネットワークデバイス間に制御プレーンインターフェースが存在しない場合、すなわち、このステップがアーキテクチャ1に基づく場合、アーキテクチャ1は、制御プレーンインターフェースの代わりにIP層を含み、IP層は、主に、データ送信サービスを提供するように構成されているので、第1のネットワークデバイスは、データパケット内に担持されて第2のネットワークデバイスに送られた第2のQoSパラメータを有することができる。
【００８０】
第1のネットワークデバイスは、送信される必要があるデータの一部またはすべてからデータパケットを生成し、データパケットの先頭は、第2のQoSパラメータを担持する。
【００８１】
パケットの先頭に含まれる内容は、この実施形態に限定されず、必要に応じて設定されてよい。例えば、パケットの先頭は、IPパケットの先頭を含むことができ、優先度情報は、IPパケットの先頭内の利用規約(Terms of Service)(ToS)のファイル内にマッピングされ得る。
【００８２】
ステップ706で、第1のネットワークデバイスは、データパケットを第2のネットワークデバイスに送信する。
【００８３】
第1のネットワークデバイスは、第2のネットワークデバイスが第2のQoSパラメータを取得することができ、送信される必要があるデータが第2のQoSパラメータに従って第2のネットワークで送信され得るように、データパケットを第2のネットワークデバイスに送信する。
【００８４】
ステップ707で、第1のネットワークデバイスは、UEが第2のQoSパラメータに従って第2のネットワークデバイスとのデータ送信を実行することができるように、第2のQoSパラメータについてUEに通知する。
【００８５】
ステップ708で、UEの第1の能力情報が取得され、第1の能力情報は、UEが指定されたQoSに基づくデータ送信をサポートすることを示し、第2のネットワークデバイスの第2の能力情報が取得され、第2の能力情報は、第2のネットワークデバイスが指定されたQoSに基づくデータ送信をサポートすることを示す。
【００８６】
UEおよび第2のネットワークデバイスが指定されたQoSに基づくデータ送信をサポートするかどうかを学習するために、第2のネットワークデバイスは、UEの第1の能力情報と、第2の能力情報とを取得する。
【００８７】
オプションで、UEは、以下の方法で第1の能力情報を報告するまたは送ることができ、すなわち、UEは、RRC接続を確立するプロセスで、RRC Connection Setup Complete(接続セットアップ完了)(RRC)メッセージを介してUEの分流参照情報を基地局に報告することができ、または、UEは、UEの能力を問合せるプロセスで、UE Capability information(能力情報)メッセージを介してUEの分流参照情報を報告することができる。
【００８８】
第1の能力情報は、上記で説明したこれら以外の方法で報告されてよいことに注意すべきである。例えば、第1の能力情報は、新たに追加されたパラメータを有するRRCメッセージを介して、または、新たに定義されたRRCメッセージを介して、または、Medium Access Control(媒体アクセス制御)(MAC)のためのControl Element(制御要素)(CE)を介して報告されてよい。メッセージの名前は、本開示の実施形態の範囲を限定することを意図されておらず、すなわち、本開示の実施形態による技術的解決策は、また、システムが異なって命名されたメッセージであるにもかかわらず、いくつかのシステムで適用可能であり得る。
【００８９】
UEが第1の能力情報を送信するための方法、および方法に適用可能なシステムは、この実施形態に限定されず、必要に応じて設定されてよく、その詳細な説明は、本明細書では省略される。
【００９０】
第2の能力品質情報は、ネットワーク管理構成情報から、もしくはUEによって報告される情報から取得され得、または、分流デバイスによって基地局に報告される情報であり得、本開示は、これらに限定されない。
【００９１】
UEは、以下の方法で報告することができる。分流の前に、分流ネットワークにアクセスすることができるUEは、1つまたは複数の分流アクセスデバイスのBeaconフレームを走査および監視することによって、1つまたは複数のアクセス可能な分流アクセスデバイスの第2の能力情報を取得することができ、次いで、1つまたは複数の分流アクセスデバイスの第2の能力情報を基地局に送る。
【００９２】
基地局が第2の能力情報を受信するための方法は、この実施形態に限定されず、必要に応じて設定されてよく、その詳細な説明は、本明細書では省略される。
【００９３】
この技術的解決策によれば、データが分流される前、第1のネットワークデバイスは、送信される必要があるデータのための第1のネットワークでの第1のQoSパラメータに従って、第2のネットワークでの第2のQoSパラメータを決定し、データが分流された後、第1のネットワークデバイスは、データの一部またはすべてを、第2のQoSパラメータに従って第2のネットワークデバイスに送信する。データを分流するプロセスの後、第2のQoSパラメータは、第1のQoSパラメータに従って決定されるので、第2のネットワークでのデータ送信について、送信される必要があるデータによって要求されるQoSパラメータが満たされ得、データ送信の信頼性が向上され得ることが保証され得る。
【００９４】
実施形態3
【００９５】
データを分流するための別の方法が、この実施形態によって提供される。方法は、第2のネットワークデバイスによって実行される。図8に示すように、方法は、以下のステップを含む。
【００９６】
ステップ801で、第2のネットワーク内の第2のネットワークデバイスは、送信される必要があるデータの一部またはすべてを受信し、データは、第2のQoSパラメータに従って第1のネットワーク内の第1のネットワークデバイスによって送信される。
【００９７】
第2のQoSパラメータは、送信される必要があるデータのための第1のネットワークでの第1のQoSパラメータに従って、第2のネットワークのために第1のネットワークデバイスによって決定される。
【００９８】
オプションで、第1のQoSパラメータは、第1の優先順位を含み、第2のQoSパラメータは、第2の優先順位を含む。
【００９９】
第1および第2のネットワークデバイス間に制御プレーンインターフェースが存在する場合、ステップ802が実行され得、第1および第2のネットワークデバイス間に制御プレーンインターフェースが存在しない場合、ステップ805が実行され得る。
【０１００】
ステップ802で、第1および第2のネットワークデバイス間にトンネルが確立される。
【０１０１】
ステップ803で、第1のネットワークデバイスによって制御プレーンインターフェースを介して送られた第2のQoSパラメータが受信され、第2のQoSパラメータは、トンネルに対応する。
【０１０２】
ステップ804で、第2のネットワークデバイスは、送信される必要があるデータの一部またはすべてを受信し、データは、第2のQoSパラメータに従って、第1のネットワーク内の第1のネットワークデバイスによって、対応するトンネルを介して送信される。
【０１０３】
ステップ806が実行される。
【０１０４】
ステップ805で、第2のネットワークデバイスは、第1のネットワークデバイスによって送られたデータパケットを受信する。
【０１０５】
データパケットは、送信される必要があるデータの一部またはすべてから第1のネットワークデバイスによって生成され、データパケットの先頭は、第2のQoSパラメータを担持する。
【０１０６】
ステップ806で、第2のネットワークデバイスの第2の能力情報は、第1のネットワークデバイスに送られ、第2の能力情報は、第2のネットワークデバイスが指定されたQoSパラメータに基づくデータ送信をサポートすることを示す。
【０１０７】
オプションで、データを分流した後、UEは、送信される必要があるデータのための第2のQoSパラメータに対応するTraffic Stream(トラフィックストリーム)(TS)が確立されていないことを発見し、TSは、確立され得、TSの優先度は、データの優先度と同じである。
【０１０８】
この実施形態の実施態様として、分流されたデータを送信するプロセスで、UEのLTE MACが、第2のネットワークデバイスとの通信を介して、新しいTSが確立される必要があることを学習した場合、UEは、第2のネットワークにアクセスした後、データが現在のデータのための第2のQoSパラメータで送信されたかどうかを決定することができる。UEが、第2のQoSパラメータでデータを送信していない場合、UEのLTE MACは、TSの確立を開始するようにWLAN MACに命令することができる。
【０１０９】
TSの確立を開始するようにUEのLTE MACによってWLAN MACに命令するプロセスは、UEのLTE MACがALに命令することと、ALがLLCに命令することと、LLCがWLAN MACに命令することとを含むことができ、または、UEのLTE MACがALに命令することと、ALがWLAN MACに命令することとを含むことができ、または、UEのLTE MACがWLAN MACに直接命令することを含むことができる。命令は、層間のプリミティブを介して実行され得る。
【０１１０】
UEのLTE MACがTSの確立を開始するようにWLAN MACに命令するための方法は、この実施形態に限定されず、必要に応じて設定されてよく、その詳細な説明は、本明細書では省略される。
【０１１１】
UEがTSを確立する必要があるかどうかを決定するための方法と、層間のプリミティブとは、当業者に周知であり、その詳細な説明は、本明細書では省略される。
【０１１２】
オプションで、分流ネットワークにアクセスした後、送信される必要があるデータのより効率的で正確な送信の目的のために、送信される必要があるデータを送信するための送信端末は、データを分流するプロセスで同じ第2のQoSパラメータを用いてデータをパッケージ化することができ、次いで、パッケージ化されたデータを、Medium Access Control Protocol Data Unit(媒体アクセス制御プロトコルデータユニット)(MAC PDU)のフォーマットで送信することができる。
【０１１３】
送信端末は、限定はしないが、基地局、またはUE、などを含むことができる。
【０１１４】
この技術的解決策によれば、第2のネットワークデバイスは、送信される必要があるデータの一部またはすべてを、受信された第2のQoSパラメータに従って送信し、第2のQoSパラメータは、第1のQoSパラメータに従って第1のネットワークデバイスによって決定される。したがって、第2のネットワークでの送信について、送信される必要があるデータによって要求されるQoSパラメータが満たされ得、データ送信の信頼性が向上され得ることが保証され得る。
【０１１５】
実施形態4
【０１１６】
データを分流するための装置が、この実施形態によって提供される。装置は、第1のネットワーク内の第1のネットワークデバイスに適用可能であり得る。図9に示すように、装置は、決定ユニット91と、送信ユニット92と、第1の確立ユニット93と、第1の送出ユニット94と、通知ユニット95と、第1の取得ユニット96と、第2の取得ユニット97とを含むことができる。
【０１１７】
送信ユニット92は、第1の送信モジュール921と、生成モジュール922と、第2の送信モジュール923とを含む。
【０１１８】
決定ユニット91は、送信される必要があるデータのための第1のネットワークでの第1のQoSパラメータに従って第2のネットワークでの第2のQoSパラメータを決定するために、第1のネットワークの第1のネットワークデバイスによって使用されるように構成される。
【０１１９】
オプションで、第1のQoSパラメータは、第1の優先順位を含み、第2のQoSパラメータは、第2の優先順位を含む。
【０１２０】
送信ユニット92は、データの一部またはすべてを第2のQoSパラメータに従って第2のネットワーク内の第2のネットワークデバイスに送信するために、第1のネットワークデバイスによって使用されるように構成される。
【０１２１】
第1の送信モジュール921は、データの一部またはすべてを第2のQoSパラメータに従ってトンネルを介して第2のネットワークデバイスに送信するために、第1のネットワークデバイスによって使用されるように構成される。
【０１２２】
生成モジュール922は、送信される必要があるデータの一部またはすべてからデータパケットを生成するために、第1のネットワークデバイスによって使用されるように構成され、データパケットの先頭は、第2のQoSパラメータを担持する。
【０１２３】
第2の送信モジュール923は、データパケットを第2のネットワークデバイスに送信するために、第1のネットワークデバイスによって使用されるように構成される。
【０１２４】
第1の確立ユニット93は、第1および第2のネットワークデバイス間にトンネルを確立するように構成される。
【０１２５】
第1の送出ユニット94は、制御プレーンインターフェースを介して第2のサービス品質パラメータを第2のネットワークデバイスに送るために、第1のネットワークデバイスによって使用されるように構成され、第2のQoSパラメータは、トンネルに対応する。
【０１２６】
通知ユニット95は、UEが第2のQoSパラメータに従って第2のネットワークデバイスとのデータ送信を実行することができるように、第2のサービス品質パラメータについてUEに通知するために、第1のネットワークデバイスによって使用されるように構成される。
【０１２７】
第1の取得ユニット96は、UEの第1の能力情報を取得するように構成され、第1の能力情報は、UEが指定されたQoSに基づくデータ送信をサポートすることを示す。
【０１２８】
第2の取得ユニット97は、第2のネットワークデバイスの第2の能力情報を取得するように構成され、第2の能力情報は、第2のネットワークデバイスが指定されたQoSに基づくデータ送信をサポートすることを示す。
【０１２９】
この技術的解決策によれば、データが分流される前、決定ユニットは、送信される必要があるデータのための第1のネットワークでの第1のQoSパラメータに従って第2のネットワークでの第2のQoSパラメータを決定し、データが分流された後、送信ユニットは、データの一部またはすべてを第2のQoSパラメータに従って第2のネットワークデバイスに送信する。データを分流するプロセスの後、第2のQoSパラメータは、第1のQoSパラメータに従って決定されるので、第2のネットワークでのデータ送信について、送信される必要があるデータによって要求されるQoSパラメータが満たされ得、データ送信の信頼性が改善され得ることが保証される。
【０１３０】
実施形態5
【０１３１】
データを分流するための別の装置が、この実施形態によって提供される。装置は、第2のネットワーク内の第2のネットワークデバイスに適用可能である。図10に示すように、装置は、第1の受信ユニット101と、第2の確立ユニット102と、第2の受信ユニット103と、第2の送出ユニット104とを含むことができる。
【０１３２】
第1の受信ユニット101は、第1の受信モジュール1011と、第2の受信モジュール1012とを含む。
【０１３３】
第1の受信ユニット101は、送信される必要があるデータの一部またはすべてを受信するために、第2のネットワーク内の第2のネットワークデバイスによって使用されるように構成され、データの一部またはすべては、第2のサービス品質パラメータに従って第1のネットワークデバイス内の第1のネットワークデバイスによって送信され、第2のサービス品質パラメータは、送信される必要があるデータのための第1のネットワークでの第1のサービス品質パラメータに従って、第1のネットワークデバイスによって第2のネットワークのために決定される。
【０１３４】
オプションで、第1のQoSパラメータは、第1の優先順位を含み、第2のQoSパラメータは、第2の優先順位を含む。
【０１３５】
第1の受信モジュール1011は、送信される必要があるデータの一部またはすべてを受信するように構成され、データの一部またはすべては、第2のサービス品質パラメータに従ってトンネルを介して第1のネットワークの第1のネットワークデバイスによって送信される。
【０１３６】
第2の受信モジュール1012は、第1のネットワークデバイスによって送られたデータパケットを受信するように構成され、データパケットは、送信される必要があるデータの一部またはすべてに従って第1のネットワークデバイスによって生成され、データパケットの先頭は、第2のQoSパラメータを担持する。
【０１３７】
第2の確立ユニット102は、第1および第2のネットワークデバイス間にトンネルを確立するように構成される。
【０１３８】
第2の受信ユニット103は、制御プレーンインターフェースを介して第1のネットワークデバイスによって送られた第2のQoSパラメータを受信するように構成され、第2のQoSパラメータは、トンネルに対応する。
【０１３９】
第2の送出ユニット104は、第2のネットワークデバイスの第2の能力情報を第1のネットワークデバイスに送るように構成され、第2の能力情報は、第2のネットワークデバイスが指定されたQoSに基づくデータ送信をサポートすることを示す。
【０１４０】
この技術的解決策によれば、第1の受信ユニットは、受信された第2のQoSパラメータに従って、送信される必要があるデータの一部またはすべてを送信し、第2のQoSパラメータは、第1のQoSパラメータに従って第1のネットワークデバイスによって決定される。したがって、第2のネットワークでの送信について、送信される必要があるデータによって要求されるQoSパラメータが満たされ得、データ送信の信頼性が改善され得ることが保証され得る。
【０１４１】
実施形態の前述の説明によって、当業者は、本開示がソフトウェアおよび必要なハードウェアプラットフォームを介して、またはハードウェアのみを介して実施され得、たいていの場合、前者が好ましいことを明確に理解することができる。これに鑑みて、本開示の実施形態のすべてまたは一部は、ソフトウェア製品によって実施され得、ソフトウェア製品は、ROM/RAM、ディスクまたは光ディスクなどの可読記憶媒体に記憶され得、複数の命令は、コンピュータデバイス(パーソナルコンピュータ、サーバ、またはネットワークデバイス)が本開示の各実施形態または実施形態の特定の部分に従って提供される方法を実施することを可能にするために、ソフトウェア製品に含まれる。
【０１４２】
本開示の特定の実施形態が、上記で述べられているが、本開示の範囲は、これに限定されない。本開示の範囲内の当業者によって行われる変形または置換は、本開示によってカバーされる。したがって、本開示の範囲は、添付の特許請求の範囲によって定義される。
【符号の説明】
【０１４３】
91  決定ユニット
92  送信ユニット
93  第1の確立ユニット
94  第1の送出ユニット
95  通知ユニット
96  第1の取得ユニット
97  第2の取得ユニット
921  第1の送信モジュール
922  生成モジュール
923  第2の送信モジュール
101  第1の受信ユニット
102  第2の確立ユニット
103  第2の受信ユニット
104  第2の送出ユニット
1011  第1の受信モジュール
1012  第2の受信モジュール
【図１】
0006635973.tif 000002
【図２】
0006635973.tif 000003
【図３】
0006635973.tif 000004
【図４】
0006635973.tif 000005
【図５】
0006635973.tif 000006
【図６】
0006635973.tif 000007
【図７】
0006635973.tif 000008
【図８】
0006635973.tif 000009
【図９】
0006635973.tif 000010
【図１０】
0006635973.tif 000011